(57)【要約】本発明は、ゴルファーが装着する眼鏡を備えた形態のゴルフ練習補助器具（１０）に関する。眼鏡は、光がゴルファーの眼まで透過できる眼鏡レンズ（１２）と、眼鏡に支持され、ゴルファーの眼の少なくとも片方に、ゴルファーが見えるであろう画像を、眼鏡レンズを通して見えるゴルファーの通常の視野に重ねて投射する画像生成投射手段（２８）（３０）とを備えてなる。画像は、一連の線（５０）（５２）（５３）を有しており、そのうち少なくとも第１の線（５０．１）（５０．２）は、ゴルファーの視野の横方向に延び、そのうち少なくとも第２の線（５２）は、ゴルファーから見て、第１の線を横切る方向に延びている。
2004523322.tif 000002
【特許請求の範囲】
【請求項１】
ゴルファーが装着する眼鏡と、
ゴルファーの眼まで光を通すことのできる１枚以上の眼鏡レンズと、
眼鏡に支持され、ゴルファーの眼の少なくとも片方に、ゴルファーが見えると予測される画像を、眼鏡レンズを通して見えるゴルファーの通常の視野に重ねて投射する画像生成投射手段とを備え、
画像は、一連の線を有しており、そのうち少なくとも第１の線は、ゴルファーの視野の横方向に延び、そのうち少なくとも第２の線は、ゴルファーから見て、第１の線を横切る方向に延びていることを特徴とするゴルフ練習補助器具。
【請求項２】
画像が、複数の第１の線を含むことを特徴とする、請求項１に記載のゴルフ練習補助器具。
【請求項３】
画像が、１本の第２の線を含むことを特徴とする、請求項１または請求項２に記載のゴルフ練習補助器具。
【請求項４】
画像が、比較的長い第２の線と、互いに間隔を空けて位置する比較的短い複数の第２の線を含むことを特徴とする、請求項１または請求項２に記載のゴルフ練習補助器具。
【請求項５】
画像が、短い第２の線に対する目印を含むことを特徴とする、請求項４に記載のゴルフ練習補助器具。
【請求項６】
画像が、１本以上の断続的な線を含むことを特徴とする、請求項１〜４のいずれかに記載のゴルフ練習補助器具。
【請求項７】
画像が、点線で形成された１本以上の線を含むことを特徴とする、請求項６に記載のゴルフ練習補助器具。
【請求項８】
画像生成投射手段が配置され、ゴルファーの片眼のみに画像を投射するようにしたことを特徴とする、請求項１〜７のいずれかに記載のゴルフ練習補助器具。
【請求項９】
画像生成投射手段が、画像の一部をゴルファーの片眼に投射し、画像の他の部分をゴルファーのもう一方の眼に投射するように構成された請求項１〜７のいずれかに記載のゴルフ練習補助器具。
【請求項１０】
画像生成投射手段が、周辺光を集めるための集光手段と、集光手段からの光を受け、画像を送るように構成されたレチクルと、レチクルを通った画像をゴルファーの眼に導く光学レンズ手段とを備えてなることを特徴とする、請求項１〜９のいずれかに記載のゴルフ練習補助器具。
【請求項１１】
レチクル手段が、集光しうる不透明な材料からなり、送られる画像の形状に対応した１つ以上の孔を有し、集光手段は、周辺光を集め、レチクルの孔へ導くようになっていることを特徴とする、請求項１１に記載のゴルフ練習補助器具。
【請求項１２】
集光手段が、周辺光を受け取るように構成され、このような光を受け取ると、蛍光を発する蛍光染料を含有する重合体材料からなる１つ以上の部材を備え、重合体材料の屈折率とその形状は、少なくとも、染料の蛍光によって生成された実質的な光量が、すべて内部でレチクルの孔の位置もしくはその近傍に位置するその縁部まで反射するようになっていることを特徴とする、請求項１１に記載のゴルフ練習補助器具。
【請求項１３】
光学レンズ系が、ゴルファーの視野からの光をゴルファーの眼まで透過させるとともに、画像をゴルファーの眼まで反射させるリフレクタを含むことを特徴とする、請求項１０〜１２のいずれかに記載のゴルフ練習補助器具。
【請求項１４】
リフレクタが、湾曲していることを特徴とする、請求項１３に記載のゴルフ練習補助器具。
【請求項１５】
ビームスプリッタが、平坦であることを特徴とする、請求項１３に記載のゴルフ練習補助器具。
【請求項１６】
画像生成投射手段が、光を生成する光源と光源に電力を供給するための手段を備えてなることを特徴とする、請求項１〜９のいずれかに記載のゴルフ練習補助器具。
【請求項１７】
光源が、ＬＥＤ光源であることを特徴とする、請求項１４に記載のゴルフ練習補助器具。
【請求項１８】
眼鏡レンズに着色してあり、ゴルファーにとって、色メガネとして機能しうるようになっていることを特徴とする、請求項１〜１７のいずれかに記載のゴルフ練習補助器具。
【発明の詳細な説明】
【技術分野】
【０００１】
本発明は、ゴルフ練習補助器具に関する。
【背景技術】
【０００２】
本発明は、ゴルファーがアドレス時に、適切な位置合わせを行いうるように補助するようにしたゴルフ練習補助器具に関する。
【０００３】
アドレス時の良好な位置合わせが、よいストロークのための必須用件の一つであることは、熟練したゴルファーにとって周知である。良好な位置合わせは、一般的に、ゴルファーの両足が、目標に向く第１の想像線上に位置決めされ、ボールが、第１の想像線と平行な第２の想像線上に置かれ、ゴルフクラブの面が、第２の想像線に対して直角になったときに達成される。
【０００４】
スウィングの際に、クラブの面がアドレス位置に戻り、打球ゾーンでのスウィングが目標に向かう線に沿っていれば、ほとんどの場合、ボールは、スライスやフックにつながるサイドスピンを起こすことなく目標に向かって進む。
【０００５】
位置合わせの悪さを改善するために、地面に種々の平行線およびイラストが描かれたマットを、地上に置くことが、一般的に行われてきた。通常、平行線は、目標を狙うためのものであり、イラストは、ゴルファーがどこに足を置くべきか、またボールをどこに置くべきかなどを示すためのものである。
【０００６】
この種のゴルフ練習マットは、プレイヤー自身が適切にアドレスできるようにするための練習に役立つことは確かであるが、かさばって不便であるという傾向がある。また、プレイヤーは、ペグがあろうとなかろうと、マットから離れてプレイしなければならず、一般的に、天然芝からボールを打つ際の現実を真に表わすものではない。
【発明の開示】
【発明が解決しようとする課題】
【０００７】
本発明の目的は、上記のような従来の訓練または練習マットにおける欠点をなくしたゴルフ練習補助器具を提供することにある。
【課題を解決するための手段】
【０００８】
本発明は、ゴルファーが装着する眼鏡と、ゴルファーの眼まで光を通すことのできる１枚以上の眼鏡レンズと、眼鏡に支持され、ゴルファーの眼の少なくとも片方に、ゴルファーが見えるであろう画像を、眼鏡レンズを通して見えるゴルファーの通常の視野に重ねて投射する画像生成投射手段とを備え、画像は、一連の線を有しており、そのうち少なくとも第１の線は、ゴルファーの視野の横方向に延び、そのうち少なくとも第２の線は、ゴルファーから見て、第１の線を横切る方向に延びている、ゴルフ練習補助器具を提供するものである。
【０００９】
画像は、複数の第１の線、および長さの異なる単数もしくは複数の第２の線を備えていてもよい。それらの線は、一部もしくは全体において、連続的な線でも、断続的な線でもよい。後者の場合は、例えば、点線などでもよい。
【００１０】
好ましい実施形態においては、画像生成投射手段は、周辺光を集める集光手段と、集光手段から光を受け取り、画像を通過させるようになっているレチクルと、レチクルを通過した画像を装着者の眼に向ける光学レンズ手段とを備えている。
【００１１】
本発明のその他の特徴については、従属請求項に記載してある。
【発明を実施するための最良の形態】
【００１２】
単なる例として示した添付の図面に基づいて、本発明をさらに詳しく説明する。
【００１３】
図１から図６に示す本発明のゴルフ練習補助器具１０は、眼鏡の形態であり、この場合、ゴルファーが練習時に装着しうる色メガネとしてある。従来の色メガネと同様に、補助器具１０は、着色した、すなわち、一定の光の波長を除去するためにフレーム１４に装着された、フィルタを有する眼鏡レンズ１２を備えている。
【００１４】
アーム１６が、フレーム１４から後方に延び、使用中、装着者の耳の後方に位置するその先端部１８は内向きに曲がっている。
【００１５】
フレーム１４は、従来の色メガネより若干大きく、装着者の顔から前方に向かって突出している。これは、下記の光学部品を設けるための空間を得るためである。フレーム１４は、光が、上方から装着者の眼に直接入るのを防ぐための不透明な上壁２０を備えている。
【００１６】
従来の色メガネと同様に装着すると、光が、通常の視野から、レンズ１２を通して装着者の両眼に伝達される。
【００１７】
レンズ１２と装着者の眼との間の空間２２内には、片側のみを２４で示す光学系が設けられている。
【００１８】
図９および図１０は、利用可能な他の光学系の概略図である。まず、図９を参照して説明する。
【００１９】
２６は、使用者の片眼のみに投射される画像を生成するために使用されるレチクルを示す。図１１は、使用できる典型的なレチクルを示している。
【００２０】
レチクル２６は、可視光に対しては不透明であり、１対の細くて、まっすぐで平行な孔２８と、孔２８を横切る１本の湾曲した孔３０が形成されたディスク２７を備えている。孔３０の縁部に位置しているのは、おおむね長方形の集光部材３１である。集光部材３１は、蛍光染料を含む重合体材料からなっている。集光部材３１に適した材料としては、バイエル・アー・ゲー（ＢａｙｅｒＡＧ）社のプラスチック材料ＬＩＳＡ（登録商標）が挙げられる。
【００２１】
使用時には、周辺光が、フレーム１２に装着したサイドレンズ３２を通って空間２２に入る。光は、集光部材３１に照射する。集光部材３１の中の染料から出るかなりの量の蛍光は、内部で全反射し、その縁部からのみ漏れる。従って、集光部材３１によって集められた光のかなりの部分は、孔３０に送られて、レチクルを透過する。
【００２２】
図１１には示していないが、集光部材３１に類似した集光部材を孔２８にも設け、光のかなりの量が、レクチル２６のすべての孔２８、３０を確実に通るようにすることもある。
【００２３】
レチクル２６を透過する光、すなわち、孔２８，３０に対応する画像は、湾曲したリフレクタ３４で反射し、焦点面３６に位置する装着者の眼に向かう。リフレクタ３４は、レチクルからの光を眼に向けて反射することができると同時に、図９に示すように、右から左の方向へ光を進ませるビームスプリッタとしての機能をも有する。
【００２４】
従って、装着者は、片眼のみで、孔２８，３０に対応する画像を受け取る。同時に、装着者の両眼は、通常の視野から光を受け取る。片方の眼の場合には、レンズ１２を通して直接、また、他方の眼の場合には、リフレクタ３４を通して直接受け取る。
【００２５】
従って、レチクル２６とリフレクタ３４は、画像生成投射手段として機能して、画像を装着者の片眼に投射し、両眼は、一般の視野からの光を同時に受け取ることが理解できると思う。さらに、投射した画像は、装着者の一般的な視野の上に、可視的に重ねられる。
【００２６】
当業者であれば、湾曲したビームスプリッタを使用した際の球面収差の影響を考慮して、孔３０をわずかに湾曲させてあることは理解できると思う。
【００２７】
図１０は、球面収差の影響を軽減した別の光学系を示す。この場合、レチクル２６により、平面鏡３８が反射した光は、レンズ系４０を通り、平面リフレクタまたはビームスプリッタ４２へ投射され、そこで入射光は平行に反射され、平行光線は、面４４で装着者の眼に反射する。レンズ系４０は、例えば、フレネルレンズを備えていてもよい。このような型式とすると、非点収差と球面収差は、軽減されるか、もしくは除去される。
【００２８】
図６は、図９に示すようなレンズ系を有する練習補助器具１０を、装着者の眼球３８の高さで切った水平方向の断面図である。図に示すように、フレーム１４は、通常、使用中には装着者の鼻４８の上に位置するノーズピース４５を支持している。ノーズピースから延びているのは、空間２２を互いに左右に分割するディバイダ４９である。
【００２９】
これは必ずしも必要なわけではなく、空間２２は、一体型のバイザーの形状で、２個のレンズ１２の代わりに、１個のレンズと連続的になっていてもよい。
【００３０】
ゴルフの練習のために、この補助器具１０を使用する要領について、図７（ａ），図７（ｂ），図８（ａ），図８（ｂ）を参照しながら説明する。
【００３１】
まず、図７（ａ）および図７（ｂ）を参照する。線５０および５２は、装着者５５の眼に投射された画像の中の想像線であり、装着者に見えるものである。平行線５０は、レチクル２６の孔２８によって生成されており、装着者にとっては、彼の通常の視野の一部を横切る横方向を向く直線として見える。線５２は、レチクル２６内の孔３０によって生成され、装着者によっては、通常の視野の一部を横切る線５０と直交する直線として見える。
【００３２】
第１のステップとして、装着者は、これから打とうとするボール６０の後に立って、そのボールを、打ったときに狙いたい前方の目標６２と一直線上に並べる。これは、線５２を目標とボールを通るように合わせることによって行う。ついで、地面上にマーカー５４を、ボールと目標を通る同じ線上の、ボールより少し前に置く。
【００３３】
ついで装着者は、図７（ａ）に示すように、目標を側方に見てスタンスを取り、ボールを見下ろす。彼は、２本の線５０のうち、５０．１で示す彼から見て遠い方の線が、マーカー５４とボールの両方を通って、目標と一直線上に並ぶようにスタンスを調整する。そして、彼のかかとを、２本の線５０のうち、５０．２で示す近いほうの線上に合わせる。
【００３４】
装着者の身長や彼のゴルフクラブの長さにより、彼は、頭を上下に平面上を動かして、必要な調整ができるまで、線５０．１と５０．２とを適した位置まで移動させる。
【００３５】
これらのステップを行ったら、装着者は、彼の足が目標と正確に並んでおり、ゴルフクラブの面を、ボール、マーカー、および目標を通る線に沿って、クラブの面を、その目標線と直角に保った状態で移動させてボールに接触させれば、ボールは、目標の途中のマーカー上の真上を通って飛ぶ。
【００３６】
ゴルフのルールによれば、上に説明した本発明のゴルフ練習補助器具を、実際のプレイ中に使用することはできないので、これは、練習時のみに使用されるものであることは言うまでもない。
【００３７】
しかし、ゴルファーが練習用ティーの上で上記のセットアップ作業を繰り返し練習すれば、それを筋肉が記憶し、また、ゴルフコースで実際にプレイするときにも、セットアップで正しい位置合わせを行うことができるようになると思われる。
【００３８】
図８（ａ）および図８（ｂ）は、パッティングのストローク中に、本発明の練習補助器具を使用している様子を示す。上記と同様の手順を行って、アドレス時に正確に位置合わせをする。しかし、この場合、クラブの面は、パター以外のクラブでフルストロークを行う場合に比べて、動きがかなりゆっくりとなるので、遠い方の線５０．１も、練習補助器具の装着者がパターの面を正しい目標線に沿って、ボールに向かって移動させるための視覚的補助となり、インパクトの際に、パターの面をその線に対して確実に直角とすることができる。
【００３９】
図７（ａ）と図７（ｂ）および図８（ａ）および図８（ｂ）は、投射した画像の中で装着者の眼に映る、互いに間隔を空けて位置するとともに、線５０．１と５０．２に直角に延在する多数の短い線５３も示している。
【００４０】
いずれの場合にも、練習補助器具の装着者は、これらの線を使って、彼の足がアドレス時に正しい間隔だけ離れているかどうかを確認したり、また、ボールが彼の足に対して正しい位置にあるかどうかを確認したりすることができる。
【００４１】
従って、例えば、ウッドやロングアイアンのように長いクラブを使用する場合、ショートアイアンを使う場合と比べて、ボールは通常その姿勢からかなり前方に位置することになり、パターでは、ボールは通常、その姿勢で足の間の中間位置をとる。
【００４２】
図８（ａ）および図８（ｂ）に示すパッティングストロークの場合には、さらに便利であり、装着者は、線５３を使って、異なる長さのパッティングに対して、そのバックスイングとフォロースルーの長さを測って腕を磨くことができる。
【００４３】
レチクル２６に適当な変更を加えることにより、特に、これらの線に対応してさらにスリット状の孔を設けることによって、ゴルファーの眼が受け取る画像に、短い線５３を生成させることができることは明らかである。
【００４４】
ゴルファーがこの練習補助器具を使って同じスタンスと位置を取り、ボールをそのショットに合わせて一定の位置に位置決めできるようにするため、ボールに、投射された画像に短い線５３に付随する目印を設けてもよい。線の横に見えるように、例えば、個々の、認識可能なシンボルや英数字を設けてもよい。このような目印をつけることにより、使用者が、パティングの練習をするときに、バックスイングやフォロースルーの長さを、一定の値に安定させることができる。
【００４５】
以上、周辺光をレチクルを通る通路に集光し、集中させるための、均一な割合の一つ以上の集光器を有する光源を使用した場合について説明してきたが、本発明の別の実施形態として、集光器を、一つ以上の長さの多視性繊維、すなわちその長さに沿って光を収集し、収集した光を内部反射によってその端部まで搬送することができる繊維によって構成することもできる。この場合、繊維の端部はレチクルの孔に隣接して位置させる。
【００４６】
また、複数の繊維の端部を眼に投射させる画像を形成するように配置することもできる。さらに、別の形態として、他のタイプの光源を使ってもよい。光源は、例えば、ＬＥＤや、電池などの適当な電源によって電力を供給される形式の他の光源でもよい。気体のトリチウム光源なども本発明の範囲に含まれる。
【００４７】
さらに、本発明では、投射画像をＬＣＤ（液晶画面）とすることも考慮している。
【００４８】
上記の例では、画像全体が片眼のみに投射されているが、画像の一部が片方の眼に投射され、画像の別の部分が他方の眼に投射されることも、本発明の範囲に含まれる。従って、例えば、水平の線を片眼に投射し、垂直線を他方の眼に投射することも可能である。このような構成の場合、一般的に、両眼に対し、別々の画像生成投射手段を必要とする。
【００４９】
本発明のもう一つの変形例では、光生成投射手段、例えば、上記の例では、光源および光学系を、眼の側方ではなく、上方に位置させてもよい。練習補助器具の使用者が前方に突出するつばを有する鍔付き帽、キャップ、または日よけを装着している場合には、光を側方から集光する先に説明した構成に比較すると好ましくない。なぜなら、つばは、集光器に届く直射日光の量を減らしてしまう場合があるからである。
【００５０】
上記の説明から、投射した画像が、ゴルフのストローク中を通して見えることは理解できると思う。ゴルファーがストロークを行っているときに画像が見えると気が散ると思われる場合には、ストロークを行う時になると画像が消えるような手段を設けることも可能である。
【００５１】
光源が、上記のように、例えばＬＥＤである場合、練習補助器具には電源を切るためのオン・オフスイッチを設けてもよい。正しいスタンスとグリップが完了した使用者がスイッチを手動で操作するのは好ましくないため、スイッチを口で操作するようにしてもよい。例えば、電源から小型スイッチまで延びるコードを設け、小型スイッチを、口の中の、上下の歯列の間に挿入して、歯を食いしばることによって操作してもよい。
【００５２】
画像生成投射手段が、図示のごとく、集光器および光学系を備えている実施形態では、画像は、ストロークを行うときに画像を遮断する位置まで、シャッターを動かすことによって除去することもできる。画像を遮断する位置までシャッターを移動させる動作は、口で再開させることができる。
【００５３】
本発明のさらに進んだ形態では、画像生成投射手段を調整して、使用者が自分が好む位置に線が見えるように位置決めすることができるように構成することもできる。この場合、光学系の屈折または反射部品を選択した位置まで移動して再び位置決めできるように構成された装置を設ける。
【００５４】
レンズ１２が着色されており、ゴルフ練習補助器具が色メガネとしても機能するように構成した場合には、レンズに組み込まれるフィルタも、投射される画像の色に関連して選択でき、画像と通常の視野との間のコントラストを高め、画像の可視性を高めることもできる。
【図面の簡単な説明】
【００５５】
【図１】本発明によるゴルフ練習補助器具の平面図である。
【図２】ゴルフ練習補助器具の側面図である。
【図３】ゴルフ練習補助器具の正面図である。
【図４】ゴルファーが装着したゴルフ練習補助器具の側面図である。
【図５】ゴルファーが装着したゴルフ練習補助器具の正面図である。
【図６】ゴルファーが装着したゴルフ練習補助器具を水平に切った断面図である。
【図７】フルストロークの練習時のゴルフ練習補助器具を示す側面図である。
【図８】パッティングストローク時に使用しているゴルフ練習補助器具を示す正面図である。
【図９】本発明のゴルフ練習補助器具に使用することができるレンズ系の別の実施形態を示す略図である。
【図１０】本発明のゴルフ練習補助器具に使用することができるレンズ系のさらに別の実施形態を示す略図である。
【図１１】本発明のゴルフ練習補助器具で使用されるレチクルを示す略図である。
【符号の説明】
【００５６】
１０  練習補助器具
１２  眼鏡レンズ
１４  フレーム
１６  アーム
１８  先端部
２０  上壁
２２  空間
２４  光学系
２６  レチクル
２８、３０、  孔
３１  集光部材
３２  サイドレンズ
３４  リフレクタ
３６  焦点面
４０  レンズ系
４２  ビームスプリッタ
４４  面
４５  ノーズピース
４８  鼻
４９  ディバイダ
５０、５２、５３、  線
５４  マーカー
５５  装着者
６０  ボール
６２  目標
【国際公開パンフレット】
2004523322.tif 000003
2004523322.tif 000004
2004523322.tif 000005
2004523322.tif 000006
2004523322.tif 000007
2004523322.tif 000008
2004523322.tif 000009
2004523322.tif 000010
2004523322.tif 000011
2004523322.tif 000012
2004523322.tif 000013
2004523322.tif 000014
2004523322.tif 000015
2004523322.tif 000016
2004523322.tif 000017
2004523322.tif 000018
2004523322.tif 000019
2004523322.tif 000020
2004523322.tif 000021
2004523322.tif 000022
2004523322.tif 000023
2004523322.tif 000024
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
ゴルファーが装着する眼鏡と、
ゴルファーの眼まで光を通すことのできる１枚以上の眼鏡レンズと、
眼鏡に支持され、ゴルファーの眼の少なくとも片方に、ゴルファーが見えるであろう画像を、眼鏡レンズを通して見えるゴルファーの通常の視野に重ねて投射する画像生成投射手段とを備え、
画像生成投射手段は、付随する眼鏡レンズの内側に配置され、画像をゴルファーの眼に反射させるリフレクタを含み、その画像は、少なくとも、ゴルファーから見て、ゴルファーの視野の横方向に延びる第１の線を含むことを特徴とする、ゴルフ練習補助器具。
【請求項２】
画像が、複数の第１の線を含むことを特徴とする、請求項１に記載のゴルフ練習補助器具。
【請求項３】
画像が、第１の線を横切る方向に延びる第２の線を、少なくとも１本含むことを特徴とする、請求項１または請求項２に記載のゴルフ練習補助器具。
【請求項４】
画像が、比較的長い第２の線と、互いに間隔を空けて位置する比較的短い複数の第２の線を含むことを特徴とする、請求項３に記載のゴルフ練習補助器具。
【請求項５】
画像が、短い第２の線に対する目印を含むことを特徴とする、請求項４に記載のゴルフ練習補助器具。
【請求項６】
画像が、１本以上の断続的な線を含むことを特徴とする、請求項１〜４のいずれかに記載のゴルフ練習補助器具。
【請求項７】
画像が、点線で形成された１本もしくはそれ以上の線を含むことを特徴とする、請求項６に記載のゴルフ練習補助器具。
【請求項８】
画像生成投射手段が配置され、ゴルファーの片眼のみに画像を投射するようになっていることを特徴とする、請求項１〜７のいずれかに記載のゴルフ練習補助器具。
【請求項９】
画像生成投射手段が、画像の一部をゴルファーの片眼に投射し、画像の他の部分をゴルファーのもう一方の眼に投射するように構成されている、請求項１〜７のいずれかに記載のゴルフ練習補助器具。
【請求項１０】
画像生成投射手段が、周辺光を集めるための集光手段と、集光手段からの光を受け、画像を渡すように構成されたレチクル手段と、レチクル手段によって渡された画像をゴルファーの眼に導く光学レンズ手段とを備えてなることを特徴とする、請求項１〜９のいずれかに記載のゴルフ練習補助器具。
【請求項１１】
レチクル手段が、集光する不透明な材料からなり、渡す画像の形状に対応した１つ以上の孔を有し、集光手段は、周辺光を集め、レチクルの孔へ導くようになっていることを特徴とする、請求項１０に記載のゴルフ練習補助器具。
【請求項１２】
集光手段が、周辺光を受け取るように構成され、そのような光を受け取ると蛍光を発する蛍光染料を含有する重合体材料からなる１つ以上の部材を備え、重合体材料の屈折率とその形状は、少なくとも、染料の蛍光によって生成された実質的な光量がすべて内部でレチクルの孔の位置、もしくはその近傍に位置するその縁部まで反射するようになっていることを特徴とする、請求項１１に記載のゴルフ練習補助器具。
【請求項１３】
リフレクタが、光学レンズ系の一部を形成し、ゴルファーの視野からの光をゴルファーの眼まで透過させ、画像をゴルファーの眼に反射させるビームスプリッタとして作動するようになっていることを特徴とする、請求項１０〜１２のいずれかに記載のゴルフ練習補助器具。
【請求項１４】
リフレクタが湾曲していることを特徴とする、請求項１３に記載のゴルフ練習補助器具。
【請求項１５】
ビームスプリッタが、平坦であることを特徴とする、請求項１３に記載のゴルフ練習補助器具。
【請求項１６】
画像生成投射手段が、光を生成する光源と光源に電力を供給するための手段を備えてなることを特徴とする、請求項１〜９のいずれかに記載のゴルフ練習補助器具。
【請求項１７】
光源が、ＬＥＤ光源であることを特徴とする、請求項１６に記載のゴルフ練習補助器具。
【請求項１８】
眼鏡レンズに着色してあり、ゴルファーにとって色メガネとして機能しうることを特徴とする、請求項１〜１７のいずれかに記載のゴルフ練習補助器具。
【手続補正２】
【補正対象書類名】図面
【補正対象項目名】図６
【補正方法】変更
【補正の内容】
【図６】
2004523322.tif 000025
【国際調査報告】
2004523322.tif 000026
2004523322.tif 000027
2004523322.tif 000028